(57)【要約】  多チャンネルのオーディオソースに対応するオーディオ装置を２つのスピーカのみを接続して使用しても音抜けすることなく再生できるオーディオ装置を提供する。このオーディオ装置１は、Ｌオーディオ信号とＲオーディオ信号とＣオーディオ信号とＳＬオーディオ信号とＳＲオーディオ信号とＳＷオーディオ信号とを入力し、Ｃオーディオ信号とＳＬオーディオ信号とＳＷオーディオ信号とを所定の比率でＬオーディオ信号に、Ｃオーディオ信号とＳＲオーディオ信号とＳＷオーディオ信号とを所定の比率でＲオーディオ信号に、それぞれミキシングして出力するオーディオミキシング回路２と、オーディオミキシング回路２の出力信号を入力し、その信号波形を調整するオーディオ信号調整回路３と、を備える。【特許請求の範囲】
【請求項１】
レフトチャンネルオーディオ信号とライトチャンネルオーディオ信号とセンタチャンネルオーディオ信号とサラウンドレフトチャンネルオーディオ信号とサラウンドライトチャンネルオーディオ信号とサブウーハチャンネルオーディオ信号とを入力し、センタチャンネルオーディオ信号とサラウンドレフトチャンネルオーディオ信号とサブウーハチャンネルオーディオ信号とを所定の比率でレフトチャンネルオーディオ信号に、センタチャンネルオーディオ信号とサラウンドライトチャンネルオーディオ信号とサブウーハチャンネルオーディオ信号とを所定の比率でライトチャンネルオーディオ信号に、それぞれミキシングして出力し得るオーディオミキシング回路と、
オーディオミキシング回路の出力信号を入力し、その信号波形を調整するオーディオ信号調整回路と、
信号波形の調整が行われたオーディオ信号を増幅する複数のパワーアンプよりなるパワーアンプ部と、
増幅されたオーディオ信号により駆動される複数のスピーカよりなるスピーカ部と、
を備えることを特徴とするオーディオ装置。
【請求項２】
請求項１に記載のオーディオ装置において、
前記オーディオミキシング回路は、ミキシングして出力する状態と、レフトチャンネルオーディオ信号とライトチャンネルオーディオ信号とセンタチャンネルオーディオ信号とサラウンドレフトチャンネルオーディオ信号とサラウンドライトチャンネルオーディオ信号とサブウーハチャンネルオーディオ信号とをミキシングすることなく出力する状態と、を選択可能としたことを特徴とするオーディオ装置。
【発明の詳細な説明】
【技術分野】
【０００１】
本発明は、多チャンネルのオーディオソースに対応するオーディオ装置に関する。
【背景技術】
【０００２】
近年、ホームシアタなどに用いられる多チャンネル（例えばいわゆる５．１チャンネル）のオーディオソース（音源）に対応するオーディオ装置が商品化されている。このオーディオ装置は、視聴者の前方左右及び中央と、後方左右と、にスピーカを設置することにより、劇場やコンサートホールにいるような効果を得ようとするものである（例えば特許文献１）。５．１チャンネルのオーディオ装置は、従来のステレオオーディオ装置と同様に、ステレオオーディオ信号として、視聴者の前方左のスピーカ用のレフトチャンネル（Ｌ）オーディオ信号と、前方右のスピーカ用のライトチャンネル（Ｒ）オーディオ信号と、を処理する。更に、サラウンドオーディオ信号として、前方中央のスピーカ用のセンタチャンネル（Ｃ）オーディオ信号と、後方左のスピーカ用のサラウンドレフトチャンネル（ＳＬ）オーディオ信号と、後方右のスピーカ用のサラウンドライトチャンネル（ＳＲ）オーディオ信号と、重低音帯域（例えばベースギターや太鼓の音）を出力するスピーカ用のサブウーハチャンネル（ＳＷ）オーディオ信号と、を処理する。これらの各チャンネルには上演や演奏される内容に応じたオーディオソースが割り振られる。また、ＤＶＤ系の光ディスクはこの多チャンネルのオーディオソースを記録しており、その再生はこの多チャンネルのオーディオ装置が行うのが一般的である。【０００３】
図４のブロック図は５．１チャンネルのオーディオソースに対応する従来のオーディオ装置の出力部分を示したものである。このオーディオ装置１０１は、オーディオ信号調整回路１０３と、パワーアンプ１０４Ｌ、１０４Ｒ、１０４Ｃ、１０４ＳＬ、１０４ＳＲ、１０４ＳＷと、スピーカ１０５Ｌ、１０５Ｒ、１０５Ｃ、１０５ＳＬ、１０５ＳＲ、１０５ＳＷと、から構成される。オーディオ信号調整回路１０３は、Ｌオーディオ信号、Ｒオーディオ信号、Ｃオーディオ信号、ＳＬオーディオ信号、ＳＲオーディオ信号、ＳＷオーディオ信号の各信号を、それぞれ入力端子Ｌ、Ｒ、Ｃ、ＳＬ、ＳＲ、ＳＷからオーディオ信号調整回路１０３のＬｉｎＡ端、ＲｉｎＡ端、ＣｉｎＡ端、ＳＬｉｎＡ端、ＳＲｉｎＡ端、ＳＷｉｎＡ端に入力する。そして、各オーディオ信号の波形の調整、すなわち音量、トレブル、バスなどの調整を行い、オーディオ信号調整回路１０３のＬｏｕｔＡ端、ＲｏｕｔＡ端、ＣｏｕｔＡ端、ＳＬｏｕｔＡ端、ＳＲｏｕｔＡ端、ＳＷｏｕｔＡ端からそれぞれ出力する。【０００４】
そして、パワーアンプ１０４Ｌ、１０４Ｒ、１０４Ｃ、１０４ＳＬ、１０４ＳＲ、１０４ＳＷは、オーディオ信号調整回路１０３のＬｏｕｔＡ端、ＲｏｕｔＡ端、ＣｏｕｔＡ端、ＳＬｏｕｔＡ端、ＳＲｏｕｔＡ端、ＳＷｏｕｔＡ端からそれぞれオーディオ信号を入力してスピーカ１０５Ｌ、１０５Ｒ、１０５Ｃ、１０５ＳＬ、１０５ＳＲ、１０５ＳＷを駆動する。【０００５】
【特許文献１】特開２００２−３４５０９７号公報
【発明の開示】
【発明が解決しようとする課題】
【０００６】
このように、視聴者は、多チャンネルのオーディオソースに対応するオーディオ装置を使用することにより、あたかも劇場やコンサートホールにいるような効果を享受することができる。しかし、このオーディオ装置を使用する環境（例えば部屋の大きさ）によっては、スピーカを多数設置せずに、従来のステレオオーディオ装置と同様に視聴者の前方左右のみにスピーカを設置する場合（ステレオセットの場合）もある。この場合、図５に示すようにオーディオ信号調整回路１０３のＬｏｕｔＡ端、ＲｏｕｔＡ端のみがパワーアンプ１０４Ｌ、１０４Ｒに接続され、スピーカ１０５Ｌ、１０５ＲからはＬオーディオ信号とＲオーディオ信号からなるステレオオーディオ信号が音声に変換されて出力される。【０００７】
従って、オーディオ信号調整回路１０３のＣｏｕｔＡ端、ＳＬｏｕｔＡ端、ＳＲｏｕｔＡ端、ＳＷｏｕｔＡ端のオーディオ信号はスピーカから出力されないので、Ｃオーディオ信号とＳＬオーディオ信号とＳＲオーディオ信号とＳＷオーディオ信号とに割り振られた音声は、いわゆる音抜けして視聴者に聞こえないことになる。【０００８】
本発明は、上記事由に鑑みてなしたもので、その目的とするところは、多チャンネルのオーディオソースに対し、各オーディオソース毎にスピーカを接続しても、各オーディオソースより少ない数のスピーカを接続しても、多チャンネルのオーディオソースの音抜けがなく再生できるオーディオ装置を提供することにある。
【課題を解決するための手段】
【０００９】
上記の課題を解決するために、本発明の望ましい実施形態に係るオーディオ装置は、レフトチャンネルオーディオ信号とライトチャンネルオーディオ信号とセンタチャンネルオーディオ信号とサラウンドレフトチャンネルオーディオ信号とサラウンドライトチャンネルオーディオ信号とサブウーハチャンネルオーディオ信号とを入力し、センタチャンネルオーディオ信号とサラウンドレフトチャンネルオーディオ信号とサブウーハチャンネルオーディオ信号とを所定の比率でレフトチャンネルオーディオ信号に、センタチャンネルオーディオ信号とサラウンドライトチャンネルオーディオ信号とサブウーハチャンネルオーディオ信号とを所定の比率でライトチャンネルオーディオ信号に、それぞれミキシングして出力し得るオーディオミキシング回路と、オーディオミキシング回路の出力信号を入力し、その信号波形を調整するオーディオ信号調整回路と、信号波形の調整が行われたオーディオ信号を増幅する複数のパワーアンプよりなるパワーアンプ部と、増幅されたオーディオ信号により駆動される複数のスピーカよりなるスピーカ部と、を備える。【００１０】
このオーディオ装置の前記オーディオミキシング回路は、望ましくは、ミキシングして出力する状態と、レフトチャンネルオーディオ信号とライトチャンネルオーディオ信号とセンタチャンネルオーディオ信号とサラウンドレフトチャンネルオーディオ信号とサラウンドライトチャンネルオーディオ信号とサブウーハチャンネルオーディオ信号とをミキシングすることなく出力する状態と、を選択可能とする。
【発明の効果】
【００１１】
本発明の望ましい実施形態に係るオーディオ装置は、オーディオミキシング回路を備えたので、各オーディオソース毎にスピーカを接続しても、各オーディオソースより少ない数の例えば２つのスピーカのみを接続しても、多チャンネルのオーディオソースが音抜けすることなく再生でき、あたかも劇場やコンサートホールにいるような効果を享受できるものとなる。
【図面の簡単な説明】
【００１２】
【図１】本発明の実施形態に係るフルセットのオーディオ装置のブロック図である。
【図２】同上のステレオセットのオーディオ装置のブロック図である。
【図３】同上のオーディオミキシング回路の回路図である。
【図４】背景技術のフルセットのオーディオ装置のブロック図である。
【図５】同上のステレオセットのオーディオ装置のブロック図である。
【符号の説明】
【００１３】
１    オーディオ装置
２    オーディオミキシング回路
２０  オーディオミキシング回路のミキシング制御回路
３    オーディオ信号調整回路
４    パワーアンプ部
４Ｌ、４Ｒ、４Ｃ、４ＳＬ、４ＳＲ、４ＳＷ    パワーアンプ部のパワーアンプ
５    スピーカ部
５Ｌ、５Ｒ、５Ｃ、５ＳＬ、５ＳＲ、５ＳＷ    スピーカ部のスピーカ
Ｌ    レフトチャンネル（Ｌ）オーディオ信号入力端子
Ｒ    ライトチャンネル（Ｒ）オーディオ信号入力端子
Ｃ    センタチャンネル（Ｃ）オーディオ信号入力端子
ＳＬ  サラウンドレフトチャンネル（ＳＬ）オーディオ信号入力端子
ＳＲ  サラウンドライトチャンネル（ＳＲ）オーディオ信号入力端子
ＳＷ  サブウーハチャンネル（ＳＷ）オーディオ信号入力端子
【発明を実施するための最良の形態】
【００１４】
以下、本発明の最良の実施形態を図面を参照しながら説明する。図１及び図２は本発明の実施形態である多チャンネルのオーディオソースに対応するオーディオ装置１のブロック図である。このオーディオ装置１は、５．１チャンネルのオーディオ装置であって、従来のオーディオ装置１０１と異なるのは、オーディオミキシング回路２をオーディオ信号調整回路３の前段に設置している点である。オーディオ信号調整回路３はオーディオ信号調整回路１０３と実質的に同等な回路である。【００１５】
すなわち、このオーディオ装置１は、図１に示すフルセット（ホームシアタセット）の場合は、オーディオミキシング回路２と、オーディオ信号調整回路３と、パワーアンプ部４、詳しくは、パワーアンプ４Ｌ、４Ｒ、４Ｃ、４ＳＬ、４ＳＲ、４ＳＷと、スピーカ部５、詳しくは、スピーカ５Ｌ、５Ｒ、５Ｃ、５ＳＬ、５ＳＲ、５ＳＷと、を備える。一方、図２に示すステレオセットの場合は、オーディオミキシング回路２と、オーディオ信号調整回路３と、パワーアンプ４Ｌ、４Ｒよりなるパワーアンプ部４と、スピーカ５Ｌ、５Ｒよりなるスピーカ部５と、を備える。【００１６】
このオーディオミキシング回路２は、レフトチャンネル（Ｌ）オーディオ信号とライトチャンネル（Ｒ）オーディオ信号とから構成されるステレオオーディオ信号を、それぞれ入力端子Ｌ、ＲからＬｉｎＭ端とＲｉｎＭ端とに入力し、センタチャンネル（Ｃ）オーディオ信号とサラウンドレフトチャンネル（ＳＬ）オーディオ信号とサラウンドライトチャンネル（ＳＲ）オーディオ信号とサブウーハチャンネル（ＳＷ）オーディオ信号とから構成されるサラウンドオーディオ信号を、それぞれ入力端子Ｃ、ＳＬ、ＳＲ、ＳＷからＣｉｎＭ端、ＳＬｉｎＭ端、ＳＲｉｎＭ端、ＳＷｉｎＭ端に入力する。そして、後に詳述するミキシング制御回路２０により、ステレオオーディオ信号とサラウンドオーディオ信号の処理を制御する。このミキシング制御回路２０は、ＳｉｎＭ端を入力端とし、反転出力端と非反転出力端を有する。そして、外部の切り換えスイッチ（図示せず）によりＳｉｎＭ端が接地される状態と電源Ｖｃｃに接続される状態が切り換えできる。【００１７】
まず、フルセットの場合、図１に示すように、オーディオミキシング回路２は、ＳｉｎＭ端、すなわち、ミキシング制御回路２０の入力端が接地されるようにする。これにより、ＬｉｎＭ端、ＲｉｎＭ端、ＣｉｎＭ端、ＳＬｉｎＭ端、ＳＲｉｎＭ端、ＳＷｉｎＭ端に入力したオーディオ信号を、そのままＬｏｕｔＭ端、ＲｏｕｔＭ端、ＣｏｕｔＭ端、ＳＬｏｕｔＭ端、ＳＲｏｕｔＭ端、ＳＷｏｕｔＭ端からそれぞれ出力する。【００１８】
オーディオ信号調整回路３は、オーディオミキシング回路２のＬｏｕｔＭ端、ＲｏｕｔＭ端、ＣｏｕｔＭ端、ＳＬｏｕｔＭ端、ＳＲｏｕｔＭ端、ＳＷｏｕｔＭ端からそれぞれＬｉｎＡ端、ＲｉｎＡ端、ＣｉｎＡ端、ＳＬｉｎＡ端、ＳＲｉｎＡ端、ＳＷｉｎＡ端に入力したオーディオ信号の波形の調整、すなわち音量、トレブル、バスなどの調整を行い、波形調整を行ったオーディオ信号をＬｏｕｔＡ端、ＲｏｕｔＡ端、ＣｏｕｔＡ端、ＳＬｏｕｔＡ端、ＳＲｏｕｔＡ端、ＳＷｏｕｔＡ端からそれぞれ出力する。【００１９】
そして、パワーアンプ部４のパワーアンプ４Ｌ、４Ｒ、４Ｃ、４ＳＬ、４ＳＲ、４ＳＷは、オーディオ信号調整回路３のＬｏｕｔＡ端、ＲｏｕｔＡ端、ＣｏｕｔＡ端、ＳＬｏｕｔＡ端、ＳＲｏｕｔＡ端、ＳＷｏｕｔＡ端からそれぞれ波形調整を行ったオーディオ信号を入力して増幅し、増幅したオーディオ信号によりスピーカ部５のスピーカ５Ｌ、５Ｒ、５Ｃ、５ＳＬ、５ＳＲ、５ＳＷを駆動する。【００２０】
一方、ステレオセットの場合、図２に示すように、ＳｉｎＭ端、すなわち、ミキシング制御回路２０の入力端が電源Ｖｃｃに接続されるようにする。これにより、ＣｉｎＭ端、ＳＬｉｎＭ端、ＳＷｉｎＭ端に入力したオーディオ信号をＬｉｎＭ端に入力したオーディオ信号にミキシングし、ＣｉｎＭ端、ＳＲｉｎＭ端、ＳＷｉｎＭ端に入力したオーディオ信号をＲｉｎＭ端に入力したオーディオ信号にミキシングし、ＬｏｕｔＭ端とＲｏｕｔＭ端とからステレオオーディオ信号として出力する。そして、ＣｏｕｔＭ端、ＳＬｏｕｔＭ端、ＳＲｏｕｔＭ端、ＳＷｏｕｔＭ端からはオーディオ信号は出力されない（出力は無信号状態である）。【００２１】
オーディオ信号調整回路３は、オーディオミキシング回路２のＬｏｕｔＭ端とＲｏｕｔＭ端とからそれぞれＬｉｎＡ端とＲｉｎＡ端とに入力したオーディオ信号の波形の調整を行い、波形調整を行ったオーディオ信号をＬｏｕｔＡ端とＲｏｕｔＡ端とからそれぞれ出力する。また、ステレオセットの場合もフルセットの場合と同様に、オーディオ信号調整回路３のＣｉｎＡ端、ＳＬｉｎＡ端、ＳＲｉｎＡ端、ＳＷｉｎＡ端はオーディオミキシング回路２のＣｏｕｔＭ端、ＳＬｏｕｔＭ端、ＳＲｏｕｔＭ端、ＳＷｏｕｔＭ端にそれぞれ接続されている。【００２２】
そして、パワーアンプ部４のパワーアンプ４Ｌ、４Ｒは、オーディオ信号調整回路３のＬｏｕｔＡ端とＲｏｕｔＡ端からそれぞれ波形調整を行ったオーディオ信号を入力して増幅し、増幅したオーディオ信号によりスピーカ部５のスピーカ５Ｌと５Ｒとを駆動する。このオーディオ信号調整回路３は、そのＣｏｕｔＡ端、ＳＬｏｕｔＡ端、ＳＲｏｕｔＡ端、ＳＷｏｕｔＡ端には何も接続されない。【００２３】
次に、オーディオミキシング回路２の内部回路を図３に基づいて以下に説明する。【００２４】
ＬｉｎＭ端には抵抗２１の一端が接続され、ＳＬｉｎＭ端には抵抗２３の一端が接続されると共にスイッチ４７の一端に接続される。スイッチ４７の制御端は、後述のスイッチ４８乃至５０のそれぞれの制御端と同様に、ミキシング制御回路２０の反転出力端に接続される。スイッチ４７の他端はＳＬｏｕｔＭ端が接続される。抵抗２３の他端はスイッチ４１の一端に接続される。スイッチ４１の制御端は、後述のスイッチ４２乃至４６のそれぞれの制御端と同様に、ミキシング制御回路２０の非反転出力端に接続される。スイッチ４１の他端と抵抗２１の他端は互いに接続されると共に抵抗２２の一端とオペアンプ１１の反転入力端子に接続される。オペアンプ１１の非反転入力端子は、後述のオペアンプ１２乃至１４の非反転入力端子と同様に、基準電圧Ｖｒｅｆに接続される。オペアンプ１１の出力端子と抵抗２２の他端は互いに接続されると共に抵抗２４の一端に接続される。また、ＣｉｎＭ端には抵抗２６の一端と抵抗３３の一端が接続されると共にスイッチ４９の一端に接続される。スイッチ４９の他端はＣｏｕｔＭ端が接続される。抵抗２６の他端はスイッチ４２の一端に接続され、抵抗３３の他端はスイッチ４５の一端に接続される。ＳＷｉｎＭ端には抵抗２７の一端と抵抗３４の一端が接続されると共にスイッチ５０の一端に接続される。スイッチ５０の他端はＳＷｏｕｔＭ端が接続される。抵抗２７の他端はスイッチ４３の一端に接続され、抵抗３４の他端はスイッチ４６の一端に接続される。そして、抵抗２４の他端とスイッチ４２及び４３のそれぞれの他端とは互いに接続されると共に抵抗２５の一端とオペアンプ１２の反転入力端子に接続される。オペアンプ１２の出力端子と抵抗２５の他端は互いに接続されると共にＬｏｕｔＭ端に接続される。上述の抵抗２１及び２２かつ抵抗２４及び２５はそれぞれ等しい抵抗値に設定してある。【００２５】
ＲｉｎＭ端には抵抗２８の一端が接続され、ＳＲｉｎＭ端には抵抗３０の一端が接続されると共にスイッチ４８の一端に接続される。スイッチ４８の他端はＳＲｏｕｔＭ端が接続される。抵抗３０の他端はスイッチ４４の一端に接続される。スイッチ４４の他端と抵抗２８の他端は互いに接続されると共に抵抗２９の一端とオペアンプ１３の反転入力端子に接続される。オペアンプ１３の出力端子と抵抗２９の他端は互いに接続されると共に抵抗３１の一端に接続される。そして、抵抗３１の他端とスイッチ４５及び４６のそれぞれの他端とは互いに接続されると共に抵抗３２の一端とオペアンプ１４の反転入力端子に接続される。オペアンプ１４の出力端子と抵抗３２の他端は互いに接続されると共にＲｏｕｔＭ端に接続される。上述の抵抗２８及び２９かつ抵抗３１及び３２はそれぞれ等しい抵抗値に設定してある。【００２６】
次に、動作を説明する。まず、フルセットの場合、ＳｉｎＭ端が接地されるので、ミキシング制御回路２０の非反転出力端からはローレベルが、反転出力端からはハイレベルが出力される。よって、スイッチ４１乃至４６は導通せずスイッチ４７乃至５０は導通する。従って、ＬｉｎＭ端に入力したオーディオ信号は、抵抗２１及び２２とオペアンプ１１で構成される反転増幅器で反転され、抵抗２４及び２５とオペアンプ１２で構成される反転増幅器で更に反転される。抵抗２１及び２２かつ抵抗２４及び２５はそれぞれ等しい抵抗値であるので、ＬｏｕｔＭ端から出力されるオーディオ信号はＬｉｎＭ端に入力したオーディオ信号と実質的に同等なものとなる。同様に、ＲｏｕｔＭ端から出力されるオーディオ信号はＲｉｎＭ端に入力したオーディオ信号と実質的に同等なものとなる。また、ＣｉｎＭ端とＳＬｉｎＭ端とＳＲｉｎＭ端とＳＷｉｎＭ端とに入力したオーディオ信号はスイッチ４７乃至５０を通ってＣｏｕｔＭ端とＳＬｏｕｔＭ端とＳＲｏｕｔＭ端とＳＷｏｕｔＭ端とに出力される。【００２７】
一方、ステレオセットの場合、ＳｉｎＭ端が電源Ｖｃｃに接続されるので、ミキシング制御回路２０の非反転出力端からはハイレベルが、反転出力端からはローレベルが出力される。よって、スイッチ４１乃至４６は導通しスイッチ４７乃至５０は導通しない。従って、ＬｉｎＭ端に入力したオーディオ信号は、抵抗２３により決まる所定比率でＳＬｉｎＭ端に入力したオーディオ信号とミキシングされて反転され、その反転信号は、抵抗２６及び２７により決まるそれぞれの所定比率でＣｉｎＭ端とＳＷｉｎＭ端とに入力したオーディオ信号とミキシングされて更に反転されてＬｏｕｔＭ端から出力される。同様に、ＲｉｎＭ端に入力したオーディオ信号はＳＲｉｎＭ端とＣｉｎＭ端とＳＷｉｎＭ端とに入力したオーディオ信号と所定比率でミキシングされてＲｏｕｔＭ端から出力される。また、スイッチ４７乃至５０は導通しないので、ＣｏｕｔＭ端とＳＬｏｕｔＭ端とＳＲｏｕｔＭ端とＳＷｏｕｔＭ端の出力は無信号状態となる。【００２８】
以上のように、図１に示すフルセットの場合は、各オーディオソース毎に、すなわち、前方左右及び中央と、後方左右と、にスピーカを設置することにより、視聴者は、多チャンネルのオーディオソース本来の効果の音を享受することができ、図２に示すステレオセットの場合は、各オーディオソースより少ない数、例えば、前方左右のみに２個のスピーカを設置することにより、視聴者は、多チャンネルのオーディオソースが消失していない音を享受することができる。【００２９】
なお、オーディオミキシング回路２は、実施形態のものに限られるものではなく、他の回路によっても実現は可能である。また、ミキシング制御回路２０のＳｉｎＭ端を接地又は電源Ｖｃｃ接続に切り換える切り替えスイッチは、パワーアンプの数（すなわちスピーカの数）を検知して自動的に切り換えるようにしてもよい。また、ミキシング制御回路２０は、ＳｉｎＭ端の電圧でフルセットかステレオセットかを判別しているが、レジスタを有してそれに判別用データを書き込むようにしてもよい。【００３０】
また、オーディオミキシング回路２をＤＳＰにより代替させることも可能と考えられるが、ＤＳＰは高価であるのに対し、オーディオミキシング回路２は比較的簡単なアナログ回路で構成できるため安価にすることができる。更に、オーディオミキシング回路２とオーディオ信号調整回路３とを同一の半導体基板に形成して１チップ化することで、より安価にすることができ、オーディオ装置を小型化することもできる。【００３１】
また、本発明は、上述した実施形態に限られることなく、請求の範囲に記載した事項の範囲内でのさまざまな設計変更が可能である。例えば、以上の説明は５．１チャンネルのオーディオ装置１について行ったが、オーディオソースが更に多い（例えば、サラウンドバック音を追加した）６．１チャンネルや７．１チャンネルのオーディオ装置にも本発明が適用できるのは勿論である。
【図１】
2005064991.tif 000002
【図２】
2005064991.tif 000003
【図３】
2005064991.tif 000004
【図４】
2005064991.tif 000005
【図５】
2005064991.tif 000006
【国際調査報告】
2005064991.tif 000007
2005064991.tif 000008